(57)【特許請求の範囲】
【請求項１】
前面および上面に商品出入れ用の開口部を有する断面略Ｌ字形の断熱壁で構成されるショーケース本体内に形成される商品収納庫の内部に着脱自在に配設する陳列棚であって、
左右垂直枠、上部横桟、前部横桟及び後部横桟とで形成する棚組立と、
該棚組立の上部で前記左右垂直枠内に着脱自在に載置される陳列板とで構成され、
前記左右垂直枠は、上部開放のコ字形枠と該コ字形枠の上方開放部内の内側で僅か下方に位置させて架け渡した横桟とで形成し、前記上部横桟は前記左右垂直枠の横桟の上に架け渡すことを特徴とする冷凍冷蔵ショーケースの陳列棚。
【請求項２】
前記陳列板は、左右垂直枠のコ字形枠の内部で上部横桟の上に載置されることを特徴とする請求項１記載の冷凍冷蔵ショーケースの陳列棚。
【発明の詳細な説明】
【０００１】
【発明の属する技術分野】
本発明は、冷凍冷蔵ショーケースの商品収納庫の内部に設置する陳列棚に関するものである。
【０００２】
【従来の技術】
冷凍冷蔵ショーケースには、例えば図１に示すミニタイプのものがあり、これは、スーパーマーケットなどの食品販売店において、通称ゴンドラと称せられる商品の陳列棚に隣接して並べたり、上面に商品出入れ用の開口部を形成した平型タイプのショーケースの脇に並設するなどスポット的に設置して、該陳列棚や平型ショーケース内に陳列してある商品の関連商品などを陳列して買い物客の購買意欲をそそるようにしている。
【０００３】
このミニタイプのショーケースは、例えば、図１、図２に示すように前面および上面に商品出入れ用の開口部２を有する断面略Ｌ字形の断熱壁で構成されるショーケース本体１の側部を透明なアクリル板などを用いる側板３で閉塞し、ショーケース本体１内をダクト板で商品収納庫５と冷気循環ダクト６とに区画し、冷気循環ダクトの上端を冷気の吹出口６ａに、下端を吸込口６ｂに形成して、前記開口部２を冷気エアカーテンで閉塞するものである。
【０００４】
図中４は前面ガード板を示し、これは、後方上部の吹出口６ａから前下方の吸込口６ｂに向けて吹き出される冷気が、ショーケースの前方外側に逃げる冷気漏れを防ぎ冷気エアカーテンの風路を確保するために、前記開口部２の下縁から開口部２の方向に立ち上げて取り付けたものである。
【０００５】
このミニタイプのショーケースは前記のように例えば食材を陳列してある平型タイプのショーケースの端部に並設して飲み物などの飲料缶を陳列したり、スナック菓子を陳列してあるゴンドラと称せられる商品の陳列棚に並設して飲み物のペットボトルや飲料缶を陳列したり、また、おつまみとビール・酒などのアルコール缶とを陳列する。
【０００６】
このようにミニタイプのショーケースは設置場所に応じて種々の商品を陳列するものであるが、例えばおつまみやビール・酒などのアルコール缶を一緒に陳列する場合などは、おつまみは袋に詰められている場合がほとんどであり、このような袋物と缶類とを同時に陳列するには、ショーケース内にさらに陳列棚を設置し、この陳列棚の上に袋物を載置して、全体形状が偏平に近い袋物もよく見えるようにしている。
【０００７】
この陳列棚は、従来、例えば図５に示すようにパイプ状の部材をコ字形に折り曲げ、このコ字形の枠の上部開口に横桟を架け渡して左右の垂直枠15とし、この左右一対の垂直枠15の間に横桟16を架け渡して左右の垂直枠15を連結し、上部にガラス板などの陳列板８を載置した。
【０００８】
そして、この陳列棚をショーケースの商品収納庫５内の後部に設置し、陳列板８の上に袋に詰めたおつまみなどの食品を載置し、その前方に陳列した缶類によって見えなくならないようにしている。
【０００９】
【発明が解決しようとする課題】
ミニタイプのショーケースは前記のように設置場所に応じて種々の商品を陳列するものであり、陳列する商品の種類や大きさ、特に高さによっては陳列棚が不要のこともある。かかる場合は、陳列端を商品収納庫内から撤去し、庫外の適当な場所に保管する。
【００１０】
このため、保管時に陳列棚が紛失、変形したり、特にガラス板である陳列棚が破損するおそれがあった。
【００１１】
本発明の目的は前記従来例の不都合を解消し、ミニタイプのショーケース内に設置する陳列棚であって、これが不要の場合でも商品収納庫外に撤去する必要がなく、保管場所を別途要せず、また、保管時に紛失、変形したり、特にガラス板である陳列棚が破損することも防止できる冷凍冷蔵ショーケースの陳列棚を提供することにある。
【００１２】
本発明は前記目的を達成するため、第１に、前面および上面に商品出入れ用の開口部を有する断面略Ｌ字形の断熱壁で構成されるショーケース本体内に形成される商品収納庫の内部に着脱自在に配設する陳列棚であって、左右垂直枠、上部横桟、前部横桟及び後部横桟とで形成する棚組立と、該棚組立の上部で前記左右垂直枠内に着脱自在に載置される陳列板とで構成され、前記左右垂直枠は、上部開放のコ字形枠と該コ字形枠の上方開放部内の内側で僅か下方に位置させて架け渡した横桟とで形成し、前記上部横桟は前記左右垂直枠の横桟の上に架け渡すものとする。
【００１３】
これにより、陳列棚使用時には、棚組立の上部で左右垂直枠内で上部横桟の上に陳列板を載置し、この陳列棚の上に商品を陳列する。陳列棚不使用時は、棚組立の上下を使用時とは反対にして、上部横桟を下方に位置させ、この上部横桟の上に陳列板が載置される。よって、陳列板は商品収納庫内の底部近傍に位置するから、この状態で陳列板を商品収納庫内に保管できると同時に、左右垂直枠間は上方まで開放空間となるから、商品収納庫内を陳列棚が設置されない場合と同様の状態にして使用できる。
【００１４】
また、使用時には陳列板はコ字形枠の横桟の上に架け渡して上部横桟の上に、また、不使用時には陳列板は下方に位置したコ字形枠の横桟の上に載置されるため、不使用時にはコ字形枠の先端部分が陳列板よりも下方に位置して脚として機能するから、陳列板が商品収納庫の底板に直接接触することはなく、保管時に汚損することがない。
【００１５】
第２に、前記陳列板は、左右垂直枠のコ字形枠の内部で上部横桟の上に載置されるから、使用時、不使用時ともに陳列板はコ字形枠の内側に位置するから、前後方向の移動が阻止され、安定した状態で所定位置に配設される。
【００１６】
【発明の実施の形態】
以下、図面について本発明の実施の形態を詳細に説明する。図１は本発明の陳列棚を備えた冷凍冷蔵ショーケースの斜視図、図２は同上陳列棚使用時の冷凍冷蔵ショーケースの縦断側面図、図３は同上陳列棚不使用時の冷凍冷蔵ショーケースの縦断側面図、図４は陳列棚の分解斜視図で、冷凍冷蔵ショーケースの全体構成は既に説明した通りであるから、ここでの詳細な説明は省略する。
【００１７】
図４に示すように本発明に陳列棚は、パイプ状部材を折り曲げ加工した左右垂直枠９、上部横桟１０、前部横桟１２及び後部横桟１１とで形成する棚組立７と、該棚組立７の上部で前記左右垂直枠９内に着脱自在に載置される陳列板８とで構成する。
【００１８】
前記左右垂直枠９は、上部開放のコ字形枠９ａと該コ字形枠９ａの上方開放部内の内側で僅か下方に位置させて結合した横桟９ｂとで形成し、この横桟９ｂの上に複数本、図示の例では２本の前記上部横桟１０を架け渡して結合する。
【００１９】
また、前記前部横桟１２は左右垂直枠９のコ字形枠９ａの前側垂直部分の上部背面側に結合され、後部横桟１１は左右垂直枠９のコ字形枠９ａの後側垂直部分の下部前面側に結合される。
【００２０】
前記陳列板８は、例えばガラス板で形成し、左右垂直枠９のコ字形枠９ａの内法の幅に等しい幅で、左右垂直枠９，９間に等しい長さを有するもので、コ字形枠９ａの内部で上部横桟１０の上に着脱自在に載置される。
【００２１】
次に使用方法を説明する。陳列棚の使用時には、図１、図２に示すように左右垂直枠９のコ字形枠９ａの開放部を上方に位置させて、上部横桟１０の上に陳列板８を載せる。この状態で、陳列板８はコ字形枠９ａの内側に納まり、前後の移動が阻止されるから、左右垂直枠９間の所定位置に保持される。
【００２２】
よって、かかる陳列棚を商品収納庫５内の後方に設置して、陳列板８の上に商品を載置する。この状態で陳列板８上の商品は、陳列板８よりも上方に位置する前部横桟１２により前方への移動が阻止されるから、陳列板８から落下することはない。
【００２３】
商品の種類、大きさなどにより、陳列棚が不要のときは、コ字形枠９ａから陳列板８を一旦撤去して、棚組立７の天地を逆にし、コ字形枠９ａの開放部、横桟９ｂを下にする。
【００２４】
この状態で、下方に位置した横桟９ｂの上に陳列板８を再度載置する。これにより、陳列板８はコ字形枠９ａの内側に再び納まる。
【００２５】
よって、かかる陳列棚を商品収納庫５内の後方に再度設置する。このとき、陳列棚の前後の向きは、使用時の前部横桟１２が前側に、後部横桟１１が後部に位置するようにする。このような状態で不使用時には陳列棚を上下反対にして商品収納庫５内に保管する。このとき、陳列板８は、商品収納庫５内の底部近傍に位置するが、陳列板８よりも下方にコ字形枠９ａの垂直部分の先端が突出しているから、この突出部分が脚として機能し、陳列板８が商品収納庫５の底板と直接接触することはなく、陳列板８が保管中に汚損することはない。
【００２６】
また、棚組立７の上部と前部には、使用時に位置していた上部横桟１０および前部横桟１２が位置しなくなるから、この部分が開放された空間となり、陳列棚を商品収納庫５内に設置したままの状態としても陳列棚が存在しない場合と同様にして商品収納庫５内を使用でき、陳列棚が邪魔になることはない。
【００２７】
【発明の効果】
以上述べたように本発明の冷凍冷蔵ショーケースの陳列棚は、第１に、前面および上面に商品出入れ用の開口部を有する断面略Ｌ字形の断熱壁で構成されるショーケース本体内の商品収納庫の内部に着脱自在に配設する陳列棚であって、前記陳列棚は、左右垂直枠、上部横桟、前部横桟及び後部横桟とで形成する棚組立と、該棚組立の上部で前記左右垂直枠内に着脱自在に載置される陳列板とで構成され、前記左右垂直枠は、上部開放のコ字形枠と該コ字形枠の上方開放部内の内側で僅か下方に位置させて架け渡した横桟とで形成し、前記上部横桟は前記左右垂直枠の横桟の上に架け渡すものとした。
【００２８】
これにより、陳列棚使用時には、棚組立の上部で左右垂直枠内で上部横桟の上に陳列板を載置し、この陳列棚の上に商品を陳列する。陳列棚不使用時は、棚組立の上下を使用時とは反対にして、上部横桟を下方に位置させ、この上部横桟の上に陳列板が載置される。よって、陳列板は商品収納庫内の底部近傍に位置するから、この状態で陳列板を商品収納庫内に保管できると同時に、左右垂直枠間は上方まで開放空間となるから、商品収納庫内を陳列棚が設置されない場合と同様の状態にして使用できる。
【００２９】
また、使用時には陳列板はコ字形枠の横桟の上に架け渡して上部横桟の上に、また、不使用時には陳列板は下方に位置したコ字形枠の横桟の上に載置されるため、不使用時にはコ字形枠の先端部分が陳列板よりも下方に位置して脚として機能するから、陳列板が商品収納庫の底板に直接接触することはなく、保管時に汚損することがない。
【００３０】
第２に、前記陳列板は、左右垂直枠のコ字形枠の内部で上部横桟の上に載置されるから、使用時、不使用時ともに陳列板はコ字形枠の内側に位置するから、前後方向の移動が阻止され、安定した状態で所定位置に配設されるものである。
【図面の簡単な説明】
【図１】本発明の冷凍冷蔵ショーケースの陳列棚の実施の形態を示す冷凍冷蔵ショーケースの全体斜視図である。
【図２】本発明の冷凍冷蔵ショーケースの陳列棚の実施の形態を示す陳列棚使用時の縦断側面図である。
【図３】本発明の冷凍冷蔵ショーケースの陳列棚の実施の形態を示す陳列棚不使用時の縦断側面図である。
【図４】本発明の冷凍冷蔵ショーケースの陳列棚の分解斜視図である。
【図５】従来の陳列棚の斜視図である。
【符号の説明】
１…ショーケース本体    ２…開口部              ３…側板
４…前面ガード板        ５…商品収納庫          ６…冷気循環ダクト
６ａ…吹出口
６ｂ…吸込口            ７…棚組立              ８…陳列板
９…左右垂直枠          ９ａ…コ字形枠          ９ｂ…横桟
１０…上部横桟          １１…後部横桟          １２…前部横桟
１５…垂直枠            １６…横桟
【図１】
0004594537.tif 000002
【図２】
0004594537.tif 000003
【図３】
0004594537.tif 000004
【図４】
0004594537.tif 000005
【図５】
0004594537.tif 000006